(57)【特許請求の範囲】
【請求項１】
収納凹部が形成された皿状の容器本体と、前記容器本体の収納凹部に装着支持された中枠と、化粧料を収納して前記中枠に着脱可能に収納された化粧料皿と、前記容器本体の一部に蝶着されて容器本体の収納凹部を開閉する蓋体とからなるコンパクト容器において、前記収納凹部が中央において化粧料の収納部と化粧具の収納部とに区分けされているとともに前記中枠が前記化粧料の収納部に配置されており、前記中枠における周壁の前記区分け部側の角部において外方に延設した突片の裏面に形成した係止凸部または係止凹部からなる支持部を、前記収納凹部の周壁における前記区分け部に沿って内方へ膨出形成した前記支持部を差し込み支持する係止凹部または係止凸部からなる受部に差し込み固着させることにより前記中枠が前記支持部において支持されて前記収納凹部における所定の空間位置に浮いた状態で装着されていることを特徴とするコンパクト容器。
【請求項２】
収納凹部が形成された皿状の容器本体と、前記容器本体の収納凹部に装着支持された中枠と、化粧料を収納して前記中枠に着脱可能に収納された化粧料皿と、前記容器本体の一部に蝶着されて容器本体を開閉する蓋体とからなるコンパクト容器において、前記収納凹部が中央において化粧料の収納部と化粧具の収納部とに区分けされているとともに前記中枠が前記化粧料の収納部に配置されており、且つ前記容器本体における収納凹部の周壁に固着させるとともに前記収納凹部に収納された中枠の化粧料皿収納部の露出窓を有するカバーを有し、前記中枠における周壁の前記区分け部側の角部において外方に延設した突片の裏面に形成した係止凸部または係止凹部からなる支持部を、前記カバーの裏面における前記区分け部に沿って内方へ膨出形成した前記支持部を差し込み支持する係止凹部または係止凸部からなる受部に差し込み固着させることにより前記中枠が前記収納凹部における所定の空間位置に浮いた状態で装着されていることを特徴とするコンパクト容器。
【請求項３】
前記係止凸部は少なくとも先端が前記係止凹部よりも幅広に形成されて圧入させるだけで充分な固着力を得ることが可能な請求項１または２に記載のコンパクト容器。
【請求項４】
前記中枠が剛性と弾性を有する合成樹脂材により形成されている請求項１または２に記載のコンパクト容器。
【発明の詳細な説明】
【技術分野】
【０００１】
本発明は、コンパクト容器、特に、固形の化粧料を収納した化粧料皿が交換可能なコンパクト容器に関するものである。
【背景技術】
【０００２】
従来、収納凹部が形成された皿状の容器本体と、前記容器本体の収納凹部に装着支持された中枠と、前記中枠に着脱可能に収納された化粧料を収納した化粧料皿と、前記容器本体の一部に蝶着されて容器本体を開閉する蓋体とからなる化粧料皿が交換可能なコンパクト容器が知られており、例えば、実開昭６２−１０８０５号公報、特開平８−５２０２５号公報、特開平８−１１７０２０号公報、特開２００４−８２８５号公報などに提示されている。
【０００３】
ところで、前記公報に提示されているようなコンパクト容器は、例えば、前記化粧料皿を係止する中枠は、その周壁を容器本体の内周壁に直接、或いは上端縁において外方へ延設したフランジを介して高周波や接着剤を用いて支持させたものである。
【０００４】
従って、例えばコンパクト容器を落とした場合、蓋体を強く閉じた場合、化粧料皿を強固に嵌合した場合などに、容器本体に加えられる衝撃が中枠を介して化粧料皿に固着させてある化粧料に直接伝わることから固形の化粧料が割れたり崩れたりすることがある。
【０００５】
また、従来、この種のコンパクト容器において、衝撃による化粧料の損傷を防ぐ手段として、実開平４−３６１９号公報、実開平６−１１６０６号公報、実開平６−５２７１０号公報に提示されているようなリング状の弾性体を中枠と容器本体との間に介装する手段、実開平７−２０１０８号公報などに提示されているような容器本体の底面に弾性板を接着固定するもの、更には、実開平６−６６５１０号公報、実開平６−７２５０８号公報、実開平６−７２５１０号公報などに提示されているようなスプリングや弾性体などにより中枠を所定の空間位置に浮いた状態に支持するものなどが知られている。
【０００６】
ところが、前記従来のコンパクト容器における化粧料の損傷防止手段は、別部品となる弾性材等を必要とすることから、部品の製造、管理が煩雑になるばかりか組立工程も増加することから製造価格も高くなる。また、前記従来のコンパクト容器における化粧料の損傷防止手段においては衝撃を吸収する弾性体が比較的大型であるとともに材質的にも弾性率が低く衝撃吸収力が低く充分な損傷防止効果を挙げるに至っていない。
【０００７】
さらに、近頃では、化粧料収納皿の中体への装着性を改善することによりクッション性を高めたものも例えば特開２００４−８２８５号公報などに提示されているが、製造過程で精度を要求されることから生産性に難点がある。
【特許文献１】実開昭６２−１０８０５号公報
【特許文献２】特開平８−５２０２５号公報
【特許文献３】特開平８−１１７０２０号公報
【特許文献４】実開平４−３６１９号公報
【特許文献５】実開平６−５２７１０号公報
【特許文献６】実開平７−２０１０８号公報
【特許文献７】実開平６−６６５１０号公報
【特許文献８】実開平６−１１６０６号公報
【特許文献９】実開平６−７２５０８号公報
【特許文献１０】実開平６−７２５１０号公報
【特許文献１１】特開２００４−８２８５号公報
【発明の開示】
【発明が解決しようとする課題】
【０００８】
本発明の課題は、上記のような問題点を解決しようとするものであり、収納凹部が形成された皿状の容器本体と、前記容器本体の収納凹部に装着支持された中枠と、前記中枠に着脱可能に収納された化粧料を収納した化粧料皿と、前記容器本体の一部に蝶着されて容器本体を開閉する蓋体とからなるコンパクト容器において、落としたり蓋体を強く閉じたりすることで容器本体に衝撃が加わったときに生じる化粧料皿に収容した固形化粧料の損傷を有効に防ぐものである。
【課題を解決するための手段】
【０００９】
前記課題を解決するためになされた本発明は、収納凹部が形成された皿状の容器本体と、前記容器本体の収納凹部に装着支持された中枠と、化粧料を収納して前記中枠に着脱可能に収納された化粧料皿と、前記容器本体の一部に蝶着されて容器本体の収納凹部を開閉する蓋体とからなるコンパクト容器において、前記中枠における周壁の一部に設けられた支持部を前記収納凹部の周壁に設けられた受部に固着させることにより前記中枠が前記収納凹部における所定の空間位置に浮いた状態で装着されていることを特徴とする。
【００１０】
このように中枠における周壁の一部に設けられた支持部を、容器本体における収納凹部の周壁、または周壁の上面に固着したカバーに設けた受部に支持させることにより前記収納凹部における所定の空間位置に浮いた状態になり、例えばコンパクト容器を落としたような場合に容器本体に直接或いは蓋体を介して加えられる衝撃が吸収されて中枠に保持されている化粧料用皿に収納されている固形の化粧料が崩れたり、割れたりするのを防ぐことができる。
【００１１】
また、前記支持部が前記中枠における周壁の外方に延設した突片の裏面に形成した係止凸部または係止凹部からなり、前記受部が前記容器本体における収納凹部の周壁に沿って形成した前記支持部を差込み支持する係止凹部または係止凸部からなる場合には、中枠を容易かつ確実に前記収納凹部における所定の空間位置に浮いた状態で装着させることができる。
【００１２】
特に、前記支持部が前記中枠における周壁の外方に延設した突片の表面に形成した係止凸部または係止凹部からなり、前記受部が前記容器本体における収納凹部の周壁に固着された前記収納凹部に装着された中枠の化粧料皿収納部を露出するカバーの裏面に形成された前記支持部を差込み支持する係止凹部または係止凸部からなる場合には、中枠を容易かつ確実に所定の空間位置に浮いた状態で容器本体における収納凹部に装着させることができるばかりか、容器本体に特別な加工を加える必要もない。
【発明の効果】
【００１３】
本発明によれば、化粧料を収納した化粧料皿を収納する中枠が所定の空間位置に浮いた状態で前記容器本体の収納凹部に装着支持されることから、コンパクト容器を落としたり、蓋体を強く閉じたりすることで容器本体に衝撃が加わったときに生じる化粧料皿に収容した固形化粧料の損傷を有効に防ぐことができる。また、構造も簡単で組み立てが容易であるばかりか従来の衝撃防止効果を有するコンパクト容器に用いられる弾性部材のような別部材を必要としない。
【発明を実施するための最良の形態】
【００１４】
以下に、図面を参照して本発明を実施するための最良の形態を説明する。
【００１５】
図１乃至図７は本発明を化粧料と、パフなどの化粧具とを収納可能とした従来から知られた形式のコンパクト容器についての実施の形態を示すものであり、主として、収納凹部１１が形成された皿状の容器本体１と、前記容器本体１の収納凹部１１に装着支持された中枠２と、前記中枠２に着脱可能に収納された化粧料３１を収納した化粧料皿３と、前記容器本体１における収納凹部１１の周壁１２，１３，１４，１５の上面１８に固着される前記収納凹部１１に装着された中枠２の化粧料皿収納部２７の露出窓４０を有するカバー４と、前記容器本体１の一部に蝶着されて容器本体１を開閉する蓋体５とから構成される。
【００１６】
そして、容器本体１は、従来と同様な適宜の硬質合成樹脂を用いて射出成形などの手段により全体が細長の横長矩形状の皿状に成形されて、前述の如く互いに対向する長尺の周壁１２，１３と短尺の周壁１４，１５を有しており、一方の長尺の周壁１２には、蓋体５を容器本体１に閉止状態に維持するための係脱自在な一方の係合手段１７が配置されている。
【００１７】
容器本体１における収納凹部１１は、中央において化粧料の収納部１１１と、パフなどの化粧具（図示せず）の収納部１１２とに区分けされており、周壁１２，１３内面における前記区分け部に後述の中枠２を片持ち支持して所定の空間位置に浮いた状態で装着させるための係止凹部１９１，１９１を有する受部１９，１９が周壁１２，１３に沿って内方へ膨出状に形成されている。尚、本実施の形態では、係止凹部１９１，１９１を有する受部１９，１９は容器本体と一体的に形成したが、係止凹部１９１，１９１を有する受部１９，１９の部分を別部材として形成し、これらを容器本体１の収納凹部１１に固着するような構成にすると（図示せず）、従来の係止凹部１９１，１９１を有する受部１９，１９を有していない容器本体１の金型を変更せずに製造することも可能であり、製造コストを低減することができる。
【００１８】
また、前記容器本体１の収納凹部１１に装着支持される中枠２は、例えばポリエチレンのような適宜の剛性と弾性を有する合成樹脂材により成形され、全体が前記容器本体１の収納凹部１１における化粧料の収納部１１１に嵌挿される矩形状の外形を呈するとともに、互いに対向する周壁２１，２２の内面には前記化粧皿３の周壁３２に形成された環状溝からなる係止部３３が着脱自在に嵌合係止する係止突起２３，２４が突設されている。
【００１９】
さらに、中枠２の周壁２２側の角部２５，２５の外面に、前記容器本体１に形成した受部１９，１９の係止凹部１９１，１９１にそれぞれ差込み支持する係止凸部２６１，２６１を裏面に形成した突片からなる支持部２６，２６が突設されている。
【００２０】
さらにまた、前記容器本体１における収納凹部１１の周壁１２，１３，１４，１５の上面１８に固着される前記収納凹部１１に装着された中枠２の化粧料皿収納部２７を露出するカバー４は、例えば中枠２と同様な材質により成形されており、前記容器本体１の収納凹部１１における化粧具（図示せず）の収納部１１２を形成する周壁４２，４３，４４を垂設しているとともに、中央に前記容器本体１における収納凹部１１に形成した受部１９，１９を覆う突出部４１，４１が形成されている。
【００２１】
そして、このような本実施の形態は、始めに容器本体１に形成された収納凹部１１の化粧料の収納部１１１に中枠２を嵌挿し、中枠２の角部２５，２５に突設させた支持部２６，２６の係止凸部２６１，２６１を前記容器本体１に形成した受部１９，１９の係止凹部１９１，１９１にそれぞれ差込み支持して、中枠２を前記支持部２６，２６により容器本体１の収納凹部１１の所定の空間位置に浮いた状態で装着させる。
【００２２】
尚、前記係止凸部２６１，２６１と係止凹部１９１，１９１とは、例えば高周波や接着剤を用いて強固に固着させることも考えられるが、例えば係止凸部２６１，２６１の少なくとも先端を係止凹部１９１，１９１よりも幅広に形成しておくことにより、係止凸部２６１，２６１を係止凹部１９１，１９１に圧入させるだけで充分な固着力を得ることが可能で組み立てがきわめて容易となる。
【００２３】
次に、前記カバー４を容器本体１の収納凹部１１を形成する周壁１２，１３，１４，１５の上面１８に被せて高周波接着などの周知手段により固着することにより、中枠２と容器本体１の収納凹部１１との間に形成される隙間を隠すとともに中枠２の周壁２２を一部として化粧具の収納部１１２が形成される。
【００２４】
そして、前記カバー４に形成した露出窓４０を介して露出している中枠２の化粧料皿収納部２７に化粧料皿３が着脱自在に装着され、必要であれば、収納部１１２に化粧具（図示せず）を収納して蓋体５を閉じて製品とされる。尚、本実施の形態は、前記化粧料３１を使い切ったときに従来のこの種のコンパクト容器と同様に化粧料皿３ごと交換可能なものであり、交換操作も従来のものと同じく例えば中枠２の低く形成した周壁２２に露出している化粧料皿３の側壁３２を押し上げて中枠２自身が有する弾性力やアンダーカットを利用して係脱すればよい。
【００２５】
以上説明した本実施の形態は、従来のコンパクト容器と同様に蓋体５を開放して使用するが、誤って落としたり、化粧料皿３の脱着時や蓋体５の開閉時に容器本体１に衝撃が加わったとしても、化粧料皿３を収納している中枠２が支持部２６，２６により容器本体１の所定の空間位置に浮いた状態で装着させているので衝撃力が吸収されて化粧料皿３内の化粧料３１が割れたり、崩れたりするのを防ぐことができる。
【００２６】
図８は本発明の異なる実施の形態の要部を示すものであり、コンパクト容器の全体的な構造は前記図１乃至図７に示した実施の形態とほぼ同様であるが、中枠２の容器本体への支持手段が異なる。即ち、本実施の形態では、中枠２の周壁２２側の角部２５，２５の外面に形成した突片からなる支持部２６，２６に突設されている係止凸部２６１，２６１が上面側に突設されているとともに、係止凸部２６１，２６１を差し込む係止凹部１９１，１９１を有する受部１９，１９がカバー４に形成されている。
【００２７】
本実施の形態によれば、前記中枠２が直接的に硬度を有する材質により成形される容器本体１に支持される場合と異なり、比較的柔軟な材料でも成形可能なカバー４を介して容器本体１に支持されるのでより大きな耐衝撃作用を発揮させることが可能である。
【００２８】
尚、前記各実施例では、中枠２に設けた支持部２６，２６に係止凸部２６１，２６１を、容器本体１またはカバー４に設けた受部１９，１９に係止凹部１９１，１９１を設けたが係止凸部と係止凹部とを変えてもよく、また、前記各実施の形態では中枠２の角部２５，２５の二カ所に支持部２６，２６を設けたが支持部および受部の設置数並びに設置位置はこれらに限るものではなく、本発明を適用するコンパクト容器に合わせて適宜選択すればよい。
【００２９】
また、本実施の形態は化粧料と、パフなどの化粧具とを収納可能とした形式のコンパクト容器に関するものであるが、本発明は、化粧料を収納した化粧皿を支持する中枠を有するものであれば他の形式のコンパクト容器についても同様に実施することができるものである。
【図面の簡単な説明】
【００３０】
【図１】本発明における実施の形態の分解した状態を示す斜視図。
【図２】図１に示した実施の形態の蓋体を取り外した状態の平面図。
【図３】図１においてカバーを取り外した状態の平面図。
【図４】図２のＡ−Ａ線に沿う断面拡大図。
【図５】図２のＢ−Ｂ線に沿う断面拡大図。
【図６】図２のＣ−Ｃ線に沿う断面図。
【図７】図２の化粧料皿を外した状態のＣ−Ｃ線に沿う断面図。
【図８】本発明の異なる実施の形態の要部についての分解した状態を示す斜視図。
【符号の説明】
【００３１】
１  容器本体、２  中枠、３  化粧料皿、４  カバー  ５  蓋体、１１  収納凹部、１２，１３，１４，１５  周壁、１８  上面、１９  受部、２１，２２  周壁、２６  支持部、２７  化粧料皿収納部、３１  化粧料、４０  露出窓、１９１   係止凹部、２６１  係止凸部
【図１】
0005230141.tif 000002
【図２】
0005230141.tif 000003
【図３】
0005230141.tif 000004
【図４】
0005230141.tif 000005
【図５】
0005230141.tif 000006
【図６】
0005230141.tif 000007
【図７】
0005230141.tif 000008
【図８】
0005230141.tif 000009